(57)【要約】      （修正有）【課題】建築現場等に使用する足場用建枠から手摺枠を取り外す際のロック金具の解除の手間が半減する建枠を提供する。【解決手段】手摺枠又は筋違の取付孔に嵌め合わせることができるロック金具を複数個設けてなる足場用建枠であって、建枠を構成する縦柱に対をなして設置されるロック金具の一方が可動型ロック金具であり、他方が金具の途中で段差を有する固定型ロック金具であることを特徴とする建枠。建枠としては、鳥居型建枠とＨ枠が代表的である。【選択図】図７
2008163740.tif 000002
【特許請求の範囲】
【請求項１】
手摺枠又は筋違の取付孔に嵌め合わせることができるロック金具を複数個設けてなる足場用建枠であって、建枠を構成する縦柱に対をなして設置されるロック金具の一方が可動型ロック金具であり、他方が金具の途中で段差を有する固定型ロック金具であることを特徴とする建枠。
【請求項２】
固定型ロック金具が金具の途中で上向きの角度変位点を有することを特徴とする請求項１に記載の建枠。
【請求項３】
建枠が上部横桟と２本の縦柱を有する鳥居型形状であることを特徴とする請求項１又は２に記載の建枠。
【請求項４】
ロック金具が縦柱一本当たり偶数個設置されていることを特徴とする請求項３に記載の建枠。
【請求項５】
建枠が中間部横桟と２本の縦柱を有するＨ型形状であることを特徴とする請求項１又は２に記載の建枠。
【請求項６】
ロック金具が縦柱一本当たり偶数個設置されていることを特徴とする請求項５に記載の建枠。
【発明の詳細な説明】
【技術分野】
【０００１】
本発明は、建築現場等に使用する足場用建枠に関する。
【背景技術】
【０００２】
建築現場等で用いられる枠組足場は、通常、横桟と縦柱から構成される鳥居形状やＨ形状の建枠を複数個組み立てることによって形成される。
【０００３】
建枠の複数個を所定の間隔で建物とは直角に立設し、建枠に筋違（すじかい）を取り付け固定して複数個の建枠を自立させた後、手摺枠を取り付け固定し、さらに建枠の横桟の上に足場板（布板）を架け渡すことで、１単位の足場を形成する。次に、既に立設した建枠の上に、別途用意された建枠を載置し、この建枠にも別途用意された筋違と手摺枠を取り付け固定した後、新たに形成された自立した建枠の横桟の上に別途用意した足場板を架け渡すことによって一つ上の段の足場を形成する。建枠の上に別の建枠を載置するには、通常、建枠を構成する縦柱の上に、別の建枠の縦柱を継ぎ足すようにして載置する。これを順次繰り返すことによって、全体の枠組み足場を形成する。
【０００４】
建枠には筋違及び手摺枠を取り付けるためのロック金具の複数がその縦柱に設けられている。枠組足場を下から組み上げる場合、順次、建枠の縦柱に設けられたロック金具に筋違及び手摺枠を取り付けられて、１単位の足場ごとに、建枠に筋違及び手摺枠が固定される。
【０００５】
逆の作業で、枠組足場を順次上から解体する際にも、最上段の足場の建枠の縦柱にロック金具によって固定された筋違及び手摺枠のロックを外して、筋違及び手摺枠を最上段の建枠から取り外してから、最上段の建枠を取り外すことになる。そして、同様に、一つ下の足場についても、順次、１単位の足場ごとに、建枠に固定された筋違及び手摺枠のロックを外して、取り付けられた筋違及び手摺枠を建枠から取り外していくことになる。
【０００６】
建枠の例としては、鳥居型建枠とＨ枠が代表的である。以下に、それぞれ、建枠を１段当たり３個用いたときを想定して、足場を組み立てる手順を説明する。
【０００７】
鳥居型建枠は上部に横桟を有する鳥居形状の建枠であり、この鳥居型建枠を用いて、枠組足場を形成する一例を図１２に示す。(a)が正面図、(b)が右側面図である。地面の上に敷板９０を敷いて、１段目の鳥居型建枠３１の３個を建物とは直角に等間隔に立設し、建物側に筋違８を建枠の建物側の縦柱５１に設置された２つのロック金具１１に取り付けて固定することによって、１段目の鳥居型建枠３１が自立する。そして道路側に手摺枠（図示せず）を建枠の道路側の縦柱５２に設置された２つのロック金具１２に取り付けて固定した後、１段目の鳥居型建枠３１の上部横桟６の上に１段目の足場板９１を架け渡して１段目の足場を形成する。次に、別途に３個の鳥居型建枠を用意し、既に立設した１段目の鳥居型建枠の縦柱５１，５２の上に、新たに２段目の鳥居型建枠３２の縦柱５１，５２を載置したのち固定し、建物側に筋違８を建枠の建物側の縦柱５１に設置された２つのロック金具１１に取り付けて固定することによって、２段目の鳥居型建枠３２が自立する。そして道路側に手摺枠（図示せず）を建枠の道路側の縦柱５２に設置された２つのロック金具１２に取り付けて固定した後、この２段目の鳥居型建枠３２の上部横桟６の上に２段目の足場板９２を架け渡して２段目の足場を形成する。
【０００８】
Ｈ枠は中間部に横桟を有するＨ型形状の建枠であり、このＨ枠を用いて、枠組足場を形成する一例を図１３に示す。(a)が正面図、(b)が背面図、そして(c)が右側面図である。地面の上に敷板９０を敷いて、３個の最下段の建枠４０を建物とは直角に等間隔に立設するが、この場合の最下段の建枠４０は、Ｈ枠ではなく、Ｈ枠の半分の高さの建枠を用いる。建物側にＨ枠の半分の高さの筋違兼手摺枠８１を建枠の建物側の縦柱５１に設置された２つのロック金具１１に取り付けて固定することによって、最下段の建枠４０を自立させる。そして道路側にＨ枠の半分の高さの手摺枠８２を建枠の道路側の縦柱５２に設置された２つのロック金具１２に取り付けて固定して後、最下段の建枠４０の下部横桟１０の上に１段目の足場板９１を架け渡して最下段の足場を形成する。
【０００９】
次に、３個のＨ枠４１を用意し、既に立設した最下段の建枠（Ｈ枠の半分の高さの建枠）４０の縦柱５１，５２の上に、Ｈ枠４１の縦柱５１，５２を載置したのち固定して、１段目のＨ枠４１を立設する。建物側にＨ枠の半分の高さの筋違兼手摺枠８１をＨ枠の建物側の縦柱５１の上半分に設置された２つのロック金具１１に取り付けて固定することによって、１段目のＨ枠４１を自立させる。そして道路側にはＨ枠の半分の高さの手摺枠８２をＨ枠４１の道路側の縦柱５２の下半分に設置された２つのロック金具１２に取り付け、さらに、道路側にはＨ枠の半分の高さの手摺枠８２をＨ枠４１の道路側の縦柱５２の上半分に設置された２つのロック金具１２に取り付ける。そして、１段目のＨ枠４１の中間部横桟７の上に２段目の足場板９２を架け渡して２段目の足場を形成する。
【００１０】
次に、別途に３個のＨ枠４２を用意し、既に立設した１段目のＨ枠４１の縦柱の上に、新たなＨ枠４２の縦柱５１，５２を載置したのち固定して、２段目のＨ枠４２を立設する。建物側にＨ枠の半分の高さの筋違兼手摺枠８１をＨ枠の建物側の縦柱５１の上半分に設置された２つのロック金具１１に取り付けて固定することによって、２段目のＨ枠４２を自立させる。そして道路側にはＨ枠の半分の高さの手摺枠８２をＨ枠４２の道路側の縦柱５２の下半分に設置された２つのロック金具１２に取り付け、さらに、道路側にはＨ枠の半分の高さの手摺枠８２をＨ枠４２の道路側の縦柱５２の上半分に設置された２つのロック金具１２に取り付ける。そして、２段目のＨ枠４２の中間部横桟７の上に３段目の足場板９３を架け渡して３段目の足場を形成する。
【００１１】
このように、建枠には建物側に筋違又は手摺枠が、道路側に手摺枠が、それぞれ取り付けられ、固定される。
【００１２】
筋違の先端は孔（取付孔）が開いており、その取付孔が建枠のロック金具に嵌め込まれてから、ロック金具の爪金具を作動させて固定される。また、手摺枠には、その枠の上段と下段に、先端に孔（取付孔）の開いた固定用金具が複数取り付けられ、その取付孔が建枠のロック金具に嵌め込まれてから、ロック金具の爪金具を作動させて固定される。なお、ロック金具には、先端に取付孔が開いた筋違又は手摺枠の固定用金具を少なくとも２枚嵌め込むことができるだけの長さを有する。
【００１３】
ロック金具の爪金具の作動は、手動で行われるものもあれば、自動的に行われるものもある。自動的に行われるものとしては、バネ式や重力落下式のものがある。図１４に、ロック金具１に組み込まれた爪金具１３の例を示す。(a)がバネ式、(b)が重力落下式である。バネ式の爪金具１３には、バネ１７が内蔵されている。いずれも、取付孔を差し込むと爪金具１３が作動する。すなわち、爪金具１３が矢印方向に移動してロックされる。
【００１４】
図１５にロック金具１に組み込まれたバネ式の爪金具１３が作動する状態を示す。(a)がロック金具１の側面図、(b)が正面図である。ロック金具１に筋違又は手摺枠の取付孔１４を差し込むと、外側に出ている爪金具１３がロック金具１の内部に収納された後、内蔵されたバネの力で外側に出てくる。これが、爪金具１３が作動した状態であり、外力によって爪金具１３をロック金具１の内部に収納しないかぎり、取付孔１４に矢印方向に力がかかっても取付孔１４はロック金具１から外れないので、筋違又は手摺枠は建枠に固定されたままとなる。
【００１５】
このロック金具は、１つの建枠に複数個設けられている。１つの建枠に必要なロック金具の個数は、隣り合う２つの建枠の間に設ける筋違や手摺枠の形状と個数によって異なる。
【００１６】
図１６に、種々の筋違や手摺枠の例を挙げる。(a)は隣り合う建枠の間にＸ状の筋違をに取り付けた例である。(b)は隣り合う建枠の間に三角形状の筋違兼手摺枠を１個取り付けた例である。(c)は隣り合う建枠の間に１本の斜材からなる筋違を取り付けた例である。そして、(d)は隣り合う建枠の間に手摺枠を１個取り付けた例である。いずれも、筋違又は手摺枠を建枠の縦柱に設けられたロック金具に嵌め込むための取付孔１４を複数個有している。
【００１７】
建枠の建物側の縦柱のロック金具は、上述の鳥居型建枠（図１２）の例では、筋違は隣り合う建枠の間に２本交叉状に取り付けられる（図１６(a)参照）ので、１つの建枠の建物側にロック金具は２個必要である。そして、上述のＨ枠（図１３）の例では、三角形状の筋違兼手摺枠（図１６(b)参照）が隣り合う建枠の間に１個設けられるので、１つの建枠の建物側に２個又は１個が必要である。なお、筋違を隣り合う建枠の間に１本だけ設ける（図１６(c)参照）こともあり、この場合は、１つの建枠の建物側に１個あればよい。
【００１８】
また、建枠の道路側の縦柱のロック金具は、上述のＨ枠（図１３）の例では、外周が矩形状の手摺枠（図１６(d)参照）が隣り合う建枠の間に上下２個が設けられるので、１つの建枠の道路側に４個必要である。
【００１９】
しかしながら、一般に、建枠は建物側と道路側とは区別せずに用いられるので、ロック金具の個数は、建物側と道路側では同数としている。図１２に例示した鳥居型建枠の場合は縦柱のそれぞれに２個設けており、図１３で例示したＨ枠の場合は縦柱のそれぞれに４個設けている。
【００２０】
このような足場用建枠に筋違や手摺枠を取り付けるための、筋違や手摺枠の取付孔に嵌め込ませることができる建枠のロック金具については、技術の改良がなされていない。このため、このような建枠のロック金具についての文献は見あたらない。特許文献１には、建枠に手摺枠を嵌め込ませた後に、手摺枠を遊びがないように固定するためのクランプ金具などのロック機構についての改良技術が記載されているが、建枠に手摺枠を取り付ける際のロック金具は記載されていない。
【００２１】
【特許文献１】特開平６−３０７０７２号公報
【発明の開示】
【発明が解決しようとする課題】
【００２２】
このように、足場用建枠に筋違や手摺枠を取り付けるための、筋違や手摺枠の取付孔に嵌め込ませる建枠のロック金具については、ロック金具の爪金具が作動すれば、外力によって爪金具を内側に動かさないかぎり、筋違又は手摺枠が建枠から外れることはない。しかも、ロック金具の爪具を作動するために、爪具に作業員の手が直接触れる必要はなく、筋違又は手摺枠を建枠に取り付ける際に筋違又は手摺枠の取付孔が爪具に触れるだけで爪具が作動する。したがって、足場を組み立てるときは、建枠の縦柱に設置したロック金具の爪金具に筋違又は手摺枠の取付孔を嵌め込ませることによって、ロック金具の爪金具が作動するように、筋違又は手摺枠を取り付けていけばよい。
【００２３】
しかしながら、逆の作業で、足場を順次上から解体するときは、建枠の縦柱からロック金具の爪金具を順次解除する必要があるが、建枠の縦柱からロック金具の爪金具を解除するためには、外力によって爪金具を内側に動かした状態で、筋違又は手摺枠の取付孔をロック金具から取り外すという手間を必要とする。しかも、固定される取付孔の数だけの作業を行う必要があるので、１個の建枠に対して、前述の鳥居型建枠を用いた例（図１２参照）で４回、Ｈ枠を用いた例（図１３）の場合で６回の、取り外す作業が必要となる。
【００２４】
また、建枠としてＨ枠を用いて足場を組み立てる場合の利点は、自動的に作動するロック金具を設置しておけば、下の段のＨ枠の足場板の上にいても、上の段のＨ枠の縦柱のロック金具に筋違又は手摺枠を取り付けることができることにある。
【００２５】
図１７は、高さ１．８ｍのＨ枠を用いて足場を組み立てる場合の作業図を示す。(a)は全体図、(b)は作業者の頭上近傍の拡大図である。作業者１５は建物側の筋違兼手摺枠８１を既に取り付け終えて、今は道路側の手摺枠８２を取り付けようとしている。Ｈ枠の縦柱に自動的に作動するロック金具２１が設置されているので、作業者１５は下の段のＨ枠の足場板の上にいたままで、高さ２．０ｍに設置されたロック金具２１だけでなく、高さ２．６ｍに設置されたロック金具２２にも、建物側の筋違兼手摺枠８１と道路側の手摺枠８２を取り付けることができる。このように、下の段のＨ枠の足場板の上にいたままで、上の段のＨ枠の縦柱のロック金具に筋違又は手摺枠を取り付けることができるので、上の段に上った際に既に建物側と道路側の両側に筋違と手摺枠の両方が取り付けられた状態となっており、上の段での作業を安全に行うことができるという特徴を有する。
【００２６】
しかしながら、逆の作業で、足場を解体する場合は、作業者が上の段にある道路側の手摺枠８２と建物側の筋違兼手摺枠８１を下段から取り外すとき、高さ２．０ｍに設置されたロック金具２１の爪金具１３は手で解除できる高さにあるが、高さ２．６ｍに設置されたロック金具２２には手が届かない。したがって、高さ２．６ｍに設置されたロック金具２２の爪金具１３を解除するためには、専用解体治具が必要となる。
【００２７】
図１８は、高さ１．８ｍのＨ枠を用いて組み立てられた足場を解体する場合の作業図を示す。(a)は作業者の頭上近傍の拡大図である。作業者１５は、道路側の手摺枠８２を取り外そうとしている。高さ２．０ｍに設置されたロック金具２１の爪金具１３は手で解除できたが、高さ２．６ｍに設置されたロック金具２２には手が届かないので、専用解体治具１６を用いて、高さ２．６ｍに設置されたロック金具２２の爪金具１３を解除作業をしている。作業者１５が、(b)に示すようにロック金具２２に専用解体金具１６を差し込み、そして、(c)に示すように専用解体金具１６を回転させることによって、爪金具１３が解除される。
【００２８】
このように、組み立てられた足場を解体する場合には、専用の解体治具が必要となるだけでなく、片手で専用解体治具を操作しながら、残る片手で手摺枠を支えるという作業が必要となり、作業者がバランスを崩して、作業者が足場から転落する恐れがあった。
【００２９】
したがって、足場を順次上から解体する場合、筋違又は手摺枠を取り外す際の、建枠の縦柱に設けられたロック金具の爪金具を順次解除する手間を減らす必要がある。また、専用の解体治具を不要とすることによって作業者の安全を守ることが求められる。
【課題を解決するための手段】
【００３０】
本発明者らは、筋違又は手摺枠を取り外す際の、建枠の縦柱に設けられたロック金具の形状を種々に検討した結果、次の(1)〜(7)の知見を得た。
【００３１】
(1)建枠に取り付ける１つの筋違は、例えば、図１６(a)〜(c)にみるごとく、隣り合う建枠の縦柱の建物側の２個又は３個のロック金具によって固定されている。また、建枠の道路側に取り付ける１つの手摺枠（筋違としての機能も有することから建物側に取り付けることもできる。このときは、筋違兼手摺枠となる。）は、例えば、図１６(d)にみるごとく、隣り合う建枠の縦柱の建物側又は道路側の４個のロック金具によって固定されている。このように、１個の筋違又は手摺枠は、筋違又は手摺枠の形状はどうであれ、必ず建枠の縦柱に設けられた複数のロック金具によって固定されている。
【００３２】
(2)したがって、ロック金具による筋違又は手摺枠の固定機能を１個のロック金具だけで発揮させる必要はなく、２個あるいは３個以上のロック金具の組合せによって、筋違又は手摺枠の固定機能を発揮させることができる。
【００３３】
(3)すなわち、１つの筋違又は手摺枠に設けられた複数の取付孔のうち少なくとも１つに嵌め込むロック金具は、その爪金具を作動させることによって固定する方式の可動型ロック金具である必要はなく、固定型ロック金具の形状を工夫すれば、爪金具を有しない固定型ロック金具であっても構わない。固定型ロック金具は、それ自体が爪金具のようなロック作動機能を有しなくても、可動型ロック金具と組み合わせて使うことによって、可動型ロック金具の爪金具の作動によって連動して固定型ロック金具が固定される形状であればよい。
【００３４】
(4)１つの手摺枠を２つのＨ枠の間に取り付ける場合を考えてみると、１つの手摺枠には取付孔が４個設けられているので、Ｈ枠の縦柱にはそれぞれ、上下２個のロック金具が必要である。このとき、作業員の手が届かない上部ロック金具を固定型ロック金具とし、作業員の手が届く下部ロック金具を可動型ロック金具とすることによって、手摺枠の取付孔は４個ともＨ枠の縦柱に固定することができる。
【００３５】
(5)したがって、足場を組み立てる際には、まず上部の固定型ロック金具に手摺枠の上部２個の取付孔を嵌めあわせた後、下部の可動型ロック金具に手摺枠の下部２個の取付孔を嵌めあわせて、爪金具を作動させることによって、手摺枠を固定する。下部の可動型ロック金具の爪金具を解除しない限り、固定型ロック金具もふくめて、４個の取付孔はロック金具から外れることなく、手摺枠はＨ枠に固定されたままとなる。
【００３６】
(6)逆に、足場を順次上から解体する場合、まず作業員の手の届く下部の可動型ロック金具の爪金具を解除した後、１つの手摺枠全体を一定方向にスライドし、所定の角度に傾ければ、手摺枠の上部の取付孔が建枠の上部の固定型ロック金具から外れるので、１つの手摺枠全体を建枠から外すことができる。
【００３７】
(7)以上は、手摺枠をＨ枠に取り付ける場合であるが、Ｈ枠の代わりに鳥居型建枠に取り付ける場合も同様である。また、手摺枠の代わりに筋違又は筋違兼手摺枠を使用する場合も同様である。１つの建枠の縦柱に設けられる固定型ロック金具と可動型ロック金具の配置は、隣り合う上下で対をなせばよい。
【００３８】
本発明にかかる建枠は、これらの知見に基づいて完成したものであり、次に記載する通りである。
【００３９】
「手摺枠又は筋違の取付孔に嵌め合わせることができるロック金具を複数個設けてなる足場用建枠であって、建枠を構成する縦柱に対をなして設置されるロック金具の一方が可動型ロック金具であり、他方が金具の途中で段差を有する固定型ロック金具であることを特徴とする建枠。」
ここで、固定型ロック金具は、金具の途中で上向きの角度変位点を有していてもよい。
【００４０】
そして、建枠としては、上部横桟と２本の縦柱を有する鳥居型建枠と、中間部横桟と２本の縦柱を有するＨ枠が代表的であるが、特に建枠の形状にはこだわらないので、他の形状の建枠であっても何ら差し支えない。
【００４１】
また、ロック金具の縦柱一本当たりの個数としては、２個以上設置されていればよく、奇数であっても構わない。１つの建枠の縦柱に必要なロック金具の個数は、隣り合う２つの建枠の間に設ける筋違や手摺枠の形状と個数によって異なるし、建物側と道路側でも異なるので、一概には決められない。そして、一般に、建枠は建物側と道路側とは区別せずに用いられるので、通常は、ロック金具の縦柱一本当たりの個数は偶数個設置するのが好ましい。特に好ましくは、鳥居型建枠の場合は４個、Ｈ枠の場合は８個である。
【発明の効果】
【００４２】
本発明によれば、固定型ロック金具と可動型ロック金具を建枠の縦柱に対をなして配置することによって、手摺枠を取り外す際のロック金具の解除の手間は半減する。また、専用の解体治具の操作も不要となるので、作業者の安全を守ることが可能となる。
【発明を実施するための最良の形態】
【００４３】
本発明に係る建枠の一例を図面を用いて説明する。
【００４４】
図１は、建枠としてＨ枠を用いる場合の建物側の縦柱５１と道路側の縦柱５２に設けられた、固定型ロック金具２３と可動型ロック金具２４の配置を示す。(a)はＨ枠の上半分を示す図であり、(b)は上部固定型ロック金具２３の拡大図、(c)は下部の可動型ロック金具２４の拡大図である。ロック金具は、上部の固定型ロック金具２３と下部の可動型ロック金具２４が、対になって設置されている。ここで、上部の固定型ロック金具２３は段差２５を有し、下部の可動型ロック金具２４には爪金具１３が組み込まれている。このＨ枠と隣のＨ枠との間には、建物側の縦柱５１に筋違８が既に取り付けられて、この段のＨ枠は自立している。
【００４５】
図２において、このＨ枠と隣のＨ枠との間の道路側に、取付孔１４が開けられた固定用金具２０が４個設けられている手摺枠９を１つ取り付ける場合、手摺枠の上部の２個の取付孔１４がＨ枠の縦柱に設けられた上部の固定型ロック金具２３に嵌められた後、手摺枠の下部の２個の取付孔がＨ枠の縦柱に設けられた下部の可動型ロック金具２４に嵌められて、下部の可動型ロック金具の爪金具１３を作動することによって、手摺枠全体が２つの隣り合ったＨ枠に固定される。
【００４６】
図３は、上部の固定型ロック金具２３と下部の可動型ロック金具２４が、それぞれ、手摺枠の固定金具２０に開けられた取付孔１４に嵌めあわせた状態のロック金具近傍の模式図である。(a)が上部の固定型ロック金具２３、(b)が下部の可動型ロック金具２４である。上部の固定型ロック金具２３に嵌めあわされた取付孔１４は、固定型ロック金具の段差２５に当たるので、矢印の方向に力がかかっても外れない。そして、下部の可動型ロック金具に嵌めあわされた取付孔１４は作動した爪金具１３に当たるので、矢印の方向に力がかかっても外れない。このように、固定型ロック金具と可動型ロック金具を対として設置すれば、両方を可動型ロックにしなくても、手摺枠を建枠に固定することができる。
【００４７】
逆に、足場を解体する場合、まず下部の可動型ロック金具２４の爪金具１３を解除した後、手摺枠全体を作業者側に引き出せば、手摺枠の上部の固定金具２０に開けられた取付孔１４が建枠の縦柱に設けられた上部の固定型ロック金具２３から外れるので、１つの手摺枠全体を建枠から外すことができる。なお、固定型ロック金具の形状によっては、下部の可動型ロック金具２４の爪金具１３を解除した後、手摺枠の下部を作業者側に引き出した後、手摺枠全体を特定の角度で上方向に持ち上げるか、又は一旦スライドした後手摺枠全体を特定の角度で上方向に持ち上げることが必要となる場合もある。このように、上部の固定型ロック金具２３から手摺枠を外す方法は、固定型ロック金具の形状に依存する。
【００４８】
次に、上部の固定型ロック金具から手摺枠を外す方法の一例を示す。図４は、下部の可動型ロック金具２４の爪金具１３が解除されて、下部の可動型ロック金具２４から手摺枠の下部の固定金具２０に開けられた取付孔１４が外れた状態で、上部の固定型ロック金具２３から手摺枠の上部の固定金具２０に開けられた取付孔１４を外す際のロック金具近傍の模式図である。(a)が上部の固定型ロック金具２３、(b)が下部の可動型ロック金具２４である。ここでは、上部の固定型ロック金具２３は、その途中で上向きの角度変位点を有しかつ段差２５を有している。また、先端部２６は角度θだけ上方に曲げられるとともに先端部２６の外径は根本部２７の外径よりも小さくしている。このような段差２５と先端部２６を有する固定型ロック金具２３の場合は、まず下部の可動型ロック金具２４の爪金具１３を解除した後、手摺枠の下方を作業者側に引き出した後、手摺枠全体を一旦上方にスライドし、その後、手摺枠の上部の固定金具２０に開けられた取付孔１４が上部のロック金具の先端をすり抜けるように手摺枠上部を角度θで上方向に持ち上ることによって、手摺枠全体を建枠から外すことができる。
【００４９】
本発明に係る固定型ロック金具２３の形状の他の例として、図６(a)に金具の途中に角度変位点２８を有する固定型ロック金具２３を、図７に段差２５を途中に有する固定型ロック金具２３を示す。この形状は、足場に使用される建枠の種類、筋違又は手摺枠の形状と個数、筋違又は手摺枠に要求される安全性の大小などによって、異なってくる。
【００５０】
したがって、本発明に係る固定型ロック金具２３の形状としては、(1)固定型ロック金具の途中に段差を有するもの（図７参照）、又は、(2)固定型ロック金具の途中に段差を有しかつ上向きの角度変位点を有するもの（図４(a)参照）である。
【００５１】
なお、ロック金具を複数個設けてなる足場用建枠の参考例としては、図５、図６(a)及び(b)、図８並びに図９(a)及び(b)に示すものが考えられる。すなわち、図５(a)にストレートタイプの固定型ロック金具２３を、図６(a)並びに図９(a)及び(b)に金具の途中に角度変位点２８を有する固定型ロック金具２３を、そして、図８に先端部２６の外径を根本部２７よりも大きくした固定型ロック金具２３を、それぞれ示すが、これらはいずれも参考例であって、本発明例ではない。
【００５２】
以下、本発明にかかる固定型ロック金具のそれぞれの形状について、詳述する。
【００５３】
(1)固定型ロック金具の途中に段差を有するものであることについて
図７は、(a)が段差２５を途中に有する固定型ロック金具２３の側面図であり、(b)がそのＡ断面図、(c)がそのＢ断面図である。この上部の固定型ロック金具２３と下部の可動型ロック金具（図示せず）の距離は一定である。したがって、固定型ロック金具２３がこのような段差２５を途中に有していて、下部の可動型ロック金具が作動していれば、固定型ロック金具２３に嵌め込まれた取付孔（図示せず）は、この段差２５より左方向には移動しないので、固定型ロック金具から外れることはない。
【００５４】
なお、この段差が小さすぎれば、嵌め込まれた取付孔（図示せず）がその段差を乗り越えてしまう可能性があるし、逆に段差が大きすぎればその段差付近の断面形状が図７の(b)及び(c)に示すように、固定型ロック金具２３の段差２５の部分は根元部２７と比べ断面が小さくなり、その分、固定型ロック金具としての強度が落ちる可能性がある。したがって、この段差の大きさは、これらの可能性を勘案して適正値にするのがよい。
【００５５】
また、固定型ロック金具の先端は上側を向いているのが、好ましい。固定型ロック金具の先端が上側を向いていれば、筋違又は手摺枠に衝撃が加わっても、筋違又は手摺枠が抜け落ちないからである。
【００５６】
(2)固定型ロック金具の途中に段差を有しかつ上向きの角度変位点を有するものであることについて
固定型ロック金具２３が金具の途中に段差２５を有していて、下部の可動型ロック金具が作動していれば、固定型ロック金具２３に嵌め込まれた取付孔（図示せず）は、この段差２５より左方向には移動しないので、固定型ロック金具から外れることはない。しかしながら、固定型ロック金具２３の上を筋違又は手摺枠の上部の取付孔１４が水平移動する分だけ、手摺枠の上部は揺れやすい。したがって、筋違又は手摺枠の上部の揺れを少なくするためには、固定型ロック金具の途中に上向きの角度θの変位点があることが好ましい。
【００５７】
また、固定型ロック金具が段差を途中に有しているだけでは、前述の通り、その段差の大きさによっては嵌め込まれた取付孔がその段差を乗り越えてしまう可能性があるし、固定型ロック金具としての強度が落ちる可能性がある。しかしながら、このような金具の途中に段差２５を有した上でさらに上向きの角度変位点を有する固定型ロック金具２３では、段差をそれ程大きくしなくても嵌め込まれた取付孔がその段差を乗り越えてしまう可能性は小さく、その分固定型ロック金具の強度を落とさずにすますことができる。
【００５８】
したがって、筋違又は手摺枠の上部の揺れを少なくするためには、固定型ロック金具の途中に上向きの角度θの変位点があることが好ましい。このときの角度θは、２０゜〜３０゜が望ましい。角度が小さすぎるとストレートタイプの固定型ロック金具と同様の現象が起きるし、大きすぎると筋違又は手摺枠を取り付けるときと取り外すときに、その移動距離が多くなり手間がかかる。
【００５９】
図９(a)は参考例にかかる固定型ロック金具であって、金具の途中に上向きの角度変位点２８を有する。(b)は(a)の参考例にかかる固定型ロック金具２３に取付孔１４を嵌め込んだ状態である。このとき、矢印方向に強い力がかかると、固定型ロック金具の斜辺部分が押されるので、固定型ロック金具２３の根本部２７に又は固定型ロック金具の途中に弾性又は塑性変形がおこって、筋違又は手摺枠が外れる可能性がある。(c)は、本発明に係る固定型ロック金具であって、金具の途中に段差２５を有した上でさらに上向きの角度変位点を有する。この場合は、矢印方向に強い力がかかっても、取付孔１４は段差２５に引っ掛かり、曲げ荷重ではなく引張荷重が固定型ロック金具にかかるので、固定型ロック金具２３に変形が生じにくくなるので、筋違又は手摺枠が外れる可能性は小さくなる。
【００６０】
このように、ロック金具を可動型ロック金具と固定型ロック金具の対にすることにより、ロック金具を解除する動作が減る。また、専用解体治具を使用しなくても、筋違又は手摺枠取り外せる事が可能となる。
【００６１】
図１０は、可動型ロック金具２３と固定型ロック金具２４が設けられている、高さ１．８ｍのＨ枠を用いて組み立てられた足場を解体する場合の作業図を示す。作業者１５は、道路側に取り付けられていた手摺枠９を取り外そうとしている。高さ２．０ｍに設置されたロック金具２４の爪金具を手で解除した後、手摺枠９を矢印方向に移動させるだけで、手摺枠９を高さ２．６ｍに設置されたロック金具２３からも簡単に取り外すことができる。このように、専用解体治具が不要となるため、作業者は片手だけでも又は両手を使っても自在に組み立てられた足場を解体できる。したがって、筋違又は手摺枠を取り外す際に作業者がバランスを崩して足場から転落するおそれが少なくなる。
【００６２】
最後に、筋違の取付孔又は手摺枠の固定用金具に設けられた取付孔の形状を図１１に例示する。(a)は円形、(b)は楕円形、(c)はだるま形である。固定型ロック金具と可動型ロック金具の両方に嵌め込むことのできる形状であれば、取付孔１４の形状は特に制約はないが、(a)〜(c)のようにＲのついた形状が好ましい。
【産業上の利用可能性】
【００６３】
本発明によれば、金具の途中で段差を有する固定型ロック金具と可動型ロック金具を建枠の縦柱に対をなして配置することによって、建築現場等に使用する足場用建枠から手摺枠を取り外す際のロック金具の解除の手間は半減する。また、専用の解体治具の操作も不要となるので、作業者の転落等の危険がなくなり、作業者の安全を守ることが可能となる。
【図面の簡単な説明】
【００６４】
【図１】建枠としてＨ枠を用いる場合の縦柱に設けられたロック金具の配置を示す。(a)は全体図である。(b)は金具の途中で段差を有する固定型ロック金具であり、本発明の一例を示す。(c)は可動型ロック金具である。
【図２】１つの手摺枠が２つの隣り合ったＨ枠に固定された状態を示す。
【図３】上部の固定型ロック金具と下部の可動型ロック金具を、それぞれ、手摺枠の取付孔に嵌めあわせた状態のロック金具近傍の模式図である。(a)は金具の途中で段差を有する固定型ロック金具であり、本発明の一例を示す。(b)は可動型ロック金具である。
【図４】下部の可動型ロック金具から手摺枠の下部の取付孔１４が外れた状態で上部の固定型ロック金具から手摺枠の上部の取付孔１４を外す際のロック金具近傍の模式図である。(a)は固定型ロック金具、(b)は金具の途中で段差を有する可動型ロック金具であり、本発明の一例を示す。
【図５】(a)に参考例としてストレートタイプの固定型ロック金具を、(b)に可動型ロック金具を、それぞれ示す。
【図６】(a)に参考例として上向きの角度変位点を有する固定型ロック金具を、(b)に可動型ロック金具を、それぞれ示す。
【図７】本発明に係る固定型ロック金具の一例を示す。(a)が金具の途中で段差を有する固定型ロック金具の側面図であり、(b)がそのＡ断面図、(c)がそのＢ断面図である。
【図８】参考例として、先端部の外径を根本部よりも大きくした固定型ロック金具を示す。(a)は固定型ロック金具の正面図であり、(b)は側面図である。
【図９】(a)に参考例として、金具の途中に上向きの角度変位点がある固定型ロック金具を示し、そして、(b)は(a)の固定型ロック金具に取付孔を嵌め込んだ状態を示す。(c)は本発明に係る固定型ロック金具の一例であり、金具の途中に段差を有しかつ上向きの角度変位点を有してなる。
【図１０】可動型ロック金具と本発明に係る固定型ロック金具が設けられているＨ枠を用いて組み立てられた足場を解体する場合の作業図を示す。
【図１１】筋違の取付孔又は手摺枠の固定用金具に設けられた取付孔の形状の例示である。(a)は円形、(b)は楕円形、(c)はだるま形である。
【図１２】鳥居型建枠を用いて枠組足場を形成する一例を示す。(a)が正面図、(b)が右側面図である。
【図１３】Ｈ枠を用いて枠組足場を形成する一例を示す。(a)が正面図、(b)が背面図、そして(c)が右側面図である。
【図１４】可動型ロック金具に組み込まれた爪金具の例を示す。(a)がバネ式、(b)が重力落下式である。
【図１５】可動型ロック金具に組み込まれたバネ式の爪金具が作動する状態を示す。(a)が側面図、(b)が正面図である。
【図１６】種々の筋違や手摺枠を隣り合う建枠の間に取り付けた例を示す。(a)は筋違を２本交叉状に取り付けた例である。(b)は三角形状の筋違兼手摺枠を１個取り付けた例である。(c)は筋違を１本だけ取り付けた例である。(d)は手摺枠を１個取り付けた例である。
【図１７】Ｈ枠を用いて足場を組み立てる場合の作業図を示す。(a)は全体図、(b)は作業者の頭上近傍の拡大図である。
【図１８】Ｈ枠を用いて組み立てられた足場を解体する場合の作業図を示す。(a)は作業者の頭上近傍の拡大図である。(b)は可動型ロック金具に専用解体金具を差し込む作業を、そして、(c)専用解体金具を回転させることによって可動型ロック金具に組み込まれたバネ式の爪金具を解除する作業を示す。
【符号の説明】
【００６５】
６    上部横桟
７    中間部横桟
８    筋違
９    手摺枠
１０  下部横桟
１１  建物側縦柱のロック金具
１２  道路側縦柱のロック金具
１３  爪金具
１４  取付孔
１５  作業者
１６  専用解体金具
１７  バネ
２０  固定用金具
２１  高さ２．０ｍに設置されたロック金具
２２  高さ２．６ｍに設置されたロック金具
２３  固定型ロック金具
２４  可動型ロック金具
２５  段差
２６  先端部
２７  根本部
２８  上向きの角度変位点
３１  １段目の鳥居型建枠
３２  ２段目の鳥居型建枠
４０  最下段の建枠
４１  １段目のＨ枠
４２  ２段目のＨ枠
５１  建物側の縦柱
５２  道路側の縦柱
８１  建物側の筋違兼手摺枠
８２  道路側の手摺枠
９０  敷板
９１  １段目の足場板
９２  ２段目の足場板
９３  ３段目の足場板
【図１】
2008163740.tif 000003
【図２】
2008163740.tif 000004
【図３】
2008163740.tif 000005
【図４】
2008163740.tif 000006
【図５】
2008163740.tif 000007
【図６】
2008163740.tif 000008
【図７】
2008163740.tif 000009
【図８】
2008163740.tif 000010
【図９】
2008163740.tif 000011
【図１０】
2008163740.tif 000012
【図１１】
2008163740.tif 000013
【図１２】
2008163740.tif 000014
【図１３】
2008163740.tif 000015
【図１４】
2008163740.tif 000016
【図１５】
2008163740.tif 000017
【図１６】
2008163740.tif 000018
【図１７】
2008163740.tif 000019
【図１８】
2008163740.tif 000020